(57)【要約】      （修正有）【課題】芝等の植物を屋上緑化するに際し、植栽地盤重の軽量化及び植物の順調な生育の両立を図ることが可能な手段の提供。【解決手段】相互に離隔した複数の嵩上げ部と当該嵩上げ部の根元周囲に存在する溝部とが一体形成された緑化用地盤軽量化部材であって、前記部材が、前記部材の表側に位置する土壌充填用空間から前記嵩上げ部の裏面に位置する嵩上げ用空間へと根系を導くための根系誘導穴１０１ａ（１）を有し、前記嵩上げ部の高さが３ｃｍ以上である、緑化用地盤軽量化部材。【選択図】図１
2009136278.tif 000002
【特許請求の範囲】
【請求項１】
相互に離隔した複数の嵩上げ部と当該嵩上げ部の根元周囲に存在する溝部とが一体形成された緑化用地盤軽量化部材であって、前記部材が、前記部材の表側に位置する土壌充填用空間から前記嵩上げ部の裏面に位置する嵩上げ用空間へと根系を導くための根系誘導穴を有し、前記嵩上げ部の高さが３ｃｍ以上である、緑化用地盤軽量化部材。
【請求項２】
前記嵩上げ部の裏面には親水加工が施されている、請求項１記載の緑化用地盤軽量化部材。
【請求項３】
前記溝部が、貯水部となっている、請求項１又は２記載の緑化用地盤軽量化部材。
【請求項４】
前記溝部が、開口部を有している、請求項１又は２記載の緑化用地盤軽量化部材。
【請求項５】
前記部材が、前記溝部より上に排水口を有しており、前記排水口から排出された水が前記嵩上げ用空間に供給されるよう構成されている、請求項１〜４のいずれか一項記載の緑化用地盤軽量化部材。
【請求項６】
前記嵩上げ部と溝部が交互に位置しそれらが直線状に延在している、請求項１又は２の緑化用地盤軽量化部材。
【請求項７】
前記嵩上げ部の延在方向と垂直に形成され、前記嵩上げ部の裏面に架設されている第一梁部を有する、請求項６記載の緑化用地盤軽量化部材。
【請求項８】
前記部材の表面に形成されている空間に位置し、前記嵩上げ部の延在方向と垂直に形成され、前記嵩上げ部の間に架設されている第二梁部を更に有する、請求項６又は７記載の緑化用地盤軽量化部材。
【請求項９】
前記嵩上げ部の裏面に形成された空間に位置し、嵩上げ部の延在方向と平行に形成されている第三梁部を更に有する、請求項６〜８のいずれか一項記載の緑化用地盤軽量化部材。
【請求項１０】
マット植物用である、請求項１〜９のいずれか一項記載の緑化用地盤軽量化部材。
【請求項１１】
屋上に土壌を略平坦に敷き均す工程と、前記土壌上に植物を搭載する工程とを含む、植物の屋上緑化工法において、屋上に土壌を敷き均す際、屋上平面の複数箇所を凸状に嵩上げした状況下、当該嵩上げ部間と当該嵩上げ部上に土壌を充填することにより、土壌深度の大きい領域と土壌深度の小さい領域を形成することとし、かつ、前記嵩上げ部が、前記部材の表側に位置する土壌充填用空間から前記嵩上げ部の裏面に位置する嵩上げ用空間へと根系を導くための根系誘導穴を有し、前記嵩上げ部の高さが３ｃｍ以上であることを特徴とする工法。
【請求項１２】
屋上に保水性部材を敷き、その上に前記嵩上げ部を配する、請求項１１記載の植物の屋上緑化工法。
【請求項１３】
前記嵩上げに際し、請求項１〜１０のいずれか一項記載の緑化用地盤軽量化部材を用いる、請求項１１又は１２記載の植物の屋上緑化工法。
【請求項１４】
前記植物がマット植物である、請求項１１〜１３のいずれか一項記載の屋上緑化工法。
【請求項１５】
前記屋上が、凹部と凸部が交互に位置しそれらが直線状に延在している凹凸面であり、
前記嵩上げに際し、直線状に延在している複数の嵩上げ部を用い、
隣接する前記凸部に対して、当該嵩上げ部の延在方向を垂直に配する、
請求項１１〜１４のいずれか一項記載の屋上緑化工法。
【請求項１６】
前記嵩上げに際し、請求項６〜９のいずれか一項記載の緑化用地盤軽量化部材を用いる、請求項１５記載の屋上緑化工法。
【請求項１７】
請求項１〜１０のいずれか一項記載の緑化用地盤軽量化部材と、前記緑化用地盤軽量化部材の下に配置する保水性部材と、を含む植物の屋上緑化システム。
【発明の詳細な説明】
【技術分野】
【０００１】
本発明は、植栽地盤重の軽量化が求められる屋上緑化、特に芝等の植物（例えばマット植物）の屋上緑化のために使用される緑化用地盤軽量化部材及び植物の屋上緑化工法に関し、特に、根系育成空間を十分に確保した緑化用地盤軽量化部材（例えば地盤軽量化トレイ）及びこれを用いた屋上緑化工法に関する。
【背景技術】
【０００２】
屋上緑化においては、軽量化の観点から、植栽地盤重をできるだけ少なくすること、具体的には、芝を張る場合を想定すると、４０ｋｇ／ｍ２以下にすることが望まれている。即ち、張り芝用の切り芝の湿潤状態での重量は約１５ｋｇ／ｍ２であるので、地盤重を２５ｋｇ／ｍ２以下にする必要がある。
【０００３】
ここで、通常の土壌を用いて前述の地盤重以下とする場合、土壌層の厚さは約１．６ｃｍ（通常の土壌の比重が湿潤状態で１．６であることから算出）となる。しかしながら、当該厚さは薄すぎ、芝の育成地盤としては適していない。
【０００４】
このように、屋上緑化に際しては、軽量化と植物育成（例えば芝育成）という両面を考慮する必要がある。その一つの解決手法として、土壌中に嵩上げ部分を設けることと、用いる土壌の比重を低くすることとが提案されている。
【０００５】
まず、前者に関しては、特許文献１に、トレイ内に充填土量を減らす嵩上げ部分を有する屋上緑化施工用パネルが提案されている。しかしながら、植物の根は充填土内でのみ伸長するため、このような嵩上げ部分を設けると根の伸長可能空間が少なくなる結果、植物の生育可能量が少なくなってしまうという問題がある。具体的には、充填土量を３０〜６０％とすることができるため軽量化は可能であるが、残りの４０〜７０％は植物生育に対して無駄な空間となってしまう。
【０００６】
また、後者に関しては、本発明者は、スーパーリソール（登録商標）という商品名で、湿潤比重が０．４３という極めて軽量な屋上緑化用土壌を提案している。しかしながら、このような超軽量な植栽地盤を用いた場合であっても、植栽地盤重を２５ｋｇ／ｍ２以下にするには、嵩上げ部分を設ける必要がある。具体的には、重量が３ｋｇで厚さが８ｃｍのトレイを用いる場合、嵩上げ部分の容積割合を４６％以上にする必要があり、このことは、植栽地盤内での根の生育空間が４６％以上少なくなることを意味する。当該数値は芝の長期に亘る順調な生育のためには少なすぎる。
【特許文献１】特開２００６−２０４２９１
【発明の開示】
【発明が解決しようとする課題】
【０００７】
そこで、本発明は、嵩上げ部を有する緑化用地盤軽量化部材において、嵩上げをした場合であっても植物が順調に生育可能な手段を提供することを第一の目的とする。
【０００８】
緑化用地盤軽量化部材は、基本的に平面上に地盤を形成することを前提としている。従来の緑化用地盤軽量化部材を用いて折板屋根のような凹凸面上に地盤を形成すると、人が歩行することにより、地盤が崩れてしまう等、強度の面で問題があった。そこで、本発明は、凹凸面上であっても人が歩行可能な程度の強度を有する地盤を形成するための手段を提供することを第二の目的とする。
【課題を解決するための手段】
【０００９】
本発明者は、これまで無駄な空間であった嵩上げ部分の裏面に存在する空間の湿度が植物の生育に最適な１００％近くに保たれ得ることに着目し、当該空間に土壌中に存在する根を誘導し当該空間内で根を生育させることを検討し、本発明（１）〜（１７）を完成させたものである。
【００１０】
本発明（１）は、相互に離隔した複数の嵩上げ部と当該嵩上げ部の根元周囲に存在する溝部とが一体形成された緑化用地盤軽量化部材であって、前記部材が、前記部材の表側に位置する土壌充填用空間から前記嵩上げ部の裏面に位置する嵩上げ用空間へと根系を導くための根系誘導穴を有し、前記嵩上げ部の高さが３ｃｍ以上である、緑化用地盤軽量化部材である。尚、本緑化用地盤軽量化部材は、好適には地中潅水用であるが、散水潅水用としても使用可能である。
【００１１】
本発明（２）は、前記嵩上げ部の裏面には親水加工が施されている、前記発明（１）の緑化用地盤軽量化部材である。
【００１２】
本発明（３）は、前記溝部が、貯水部となっている、前記発明（１）又は（２）の緑化用地盤軽量化部材である。
【００１３】
本発明（４）は、前記溝部が、開口部を有している、前記発明（１）又は（２）の緑化用地盤軽量化部材である。
【００１４】
本発明（５）は、前記部材が、前記溝部より上に排水口を有しており、前記排水口から排出された水が前記嵩上げ用空間に供給されるよう構成されている、前記発明（１）〜（４）のいずれか一つの緑化用地盤軽量化部材である。
【００１５】
本発明（６）は、前記嵩上げ部と溝部が交互に位置しそれらが直線状に延在している、前記発明（１）又は（２）の緑化用地盤軽量化部材である。
【００１６】
本発明（７）は、前記嵩上げ部の延在方向と垂直に形成され、前記嵩上げ部の裏面に架設されている第一梁部を有する、前記発明（６）の緑化用地盤軽量化部材である。
【００１７】
本発明（８）は、前記部材の表面に形成されている空間に位置し、前記嵩上げ部の延在方向と垂直に形成され、前記嵩上げ部の間に架設されている第二梁部を更に有する、前記発明（６）又は（７）記載の緑化用地盤軽量化部材である。
【００１８】
本発明（９）は、前記嵩上げ部の裏面に形成された空間に位置し、嵩上げ部の延在方向と平行に形成されている第三梁部を更に有する、前記発明（６）〜（８）のいずれか一つの緑化用地盤軽量化部材である。
【００１９】
本発明（１０）は、マット植物用である、前記発明（１）〜（９）のいずれか一つの緑化用地盤軽量化部材である。
【００２０】
本発明（１１）は、屋上に土壌を略平坦に敷き均す工程と、前記土壌上に植物を搭載する工程とを含む、植物の屋上緑化工法において、屋上に土壌を敷き均す際、屋上平面の複数箇所を凸状に嵩上げした状況下、当該嵩上げ部間と当該嵩上げ部上に土壌を充填することにより、土壌深度の大きい領域と土壌深度の小さい領域を形成することとし、かつ、前記嵩上げ部が、前記部材の表側に位置する土壌充填用空間から前記嵩上げ部の裏面に位置する嵩上げ用空間へと根系を導くための根系誘導穴を有し、前記嵩上げ部の高さが３ｃｍ以上であることを特徴とする工法である。
【００２１】
本発明（１２）は、屋上に保水性部材を敷き、その上に前記嵩上げ部を配する、前記発明（１１）の植物の屋上緑化工法である。
【００２２】
本発明（１３）は、前記嵩上げに際し、前記発明（１）〜（１０）のいずれか一つの緑化用地盤軽量化部材を用いる、前記発明（１１）又は（１２）の植物の屋上緑化工法である。
【００２３】
本発明（１４）は、前記植物がマット植物である、請求項（１１）〜（１３）のいずれか一つの植物の屋上緑化工法である。
【００２４】
本発明（１５）は、前記屋上が、凹部と凸部が交互に位置しそれらが直線状に延在している凹凸面であり、
前記嵩上げに際し、直線状に延在している複数の嵩上げ部を用い、
隣接する前記凸部に対して、当該嵩上げ部の延在方向を垂直に配する、
前記発明（１１）〜（１４）のいずれか一項記載の屋上緑化工法である。
【００２５】
本発明（１６）は、前記嵩上げに際し、前記発明（６）〜（９）のいずれか一項記載の緑化用地盤軽量化部材を用いる、前記発明（１５）の屋上緑化工法である。
【００２６】
本発明（１７）は、前記発明（１）〜（１０）のいずれか一つの緑化用地盤軽量化部材と、前記緑化用地盤軽量化部材の下に配置する保水性部材と、を含む植物の屋上緑化システムである。
【発明の効果】
【００２７】
本発明によれば、嵩上げをすることにより軽量な屋上緑化にも対応できる程に充填土壌の軽減を図ることが可能となることに加え、これまで無駄な空間であった嵩上げ部の裏面を根生育空間として利用するため、植物の順調な生育も達成できるという効果を奏する。また、嵩上げ部の高さが３ｃｍ以上（好適には５ｃｍ以上）であるので、余りに低すぎることによる、根による水の過剰吸収も防止でき、植物の良好な生育が可能である。
【発明を実施するための最良の形態】
【００２８】
以下、図面を参照しながら、本発明の最良形態を説明する。尚、本発明の技術的範囲は本最良形態に限定されるものではない。また、一つの例について具体的に説明した事項に関しては、そうでないとの特記がある場合を除き、他の例にもそのまま適用されるものと理解すべきである。例えば、第一の最良形態についての根系誘導穴に関する記述は、他の例にも適用される。また、以下の最良形態は、芝等のマット植物用として構成したが、本発明は、これに限定されず、ポット植物や低・中木用も包含される。更に、以下の最良形態は、地下潅水用として構成したが、本発明は、これに限定されず、散水潅水用も包含される。
【００２９】
第一の最良形態
まず、図１を参照しながら、第一の最良形態に係る緑化システム（植栽地盤）の概要を説明する。はじめに、当該緑化システムは、コンクリート等の屋上やベランダの床面素材Ｃ上に配された保水性シート２００と、当該保水性シート２００上に搭載された地盤軽量化トレイ１００（１）と、当該地盤軽量化トレイ１００（１）の土壌充填用空間αに充填される土壌Ｓと、から構成される。以下、地盤軽量化トレイ１００（１）及び保水性シート２００について詳述する。
【００３０】
はじめに、地盤軽量化トレイ１００（１）は、少なくとも、土壌が収容される土壌充填用空間αと、当該トレイ１００（１）の裏面に形成された、前記土壌の重量を軽減しつつ必要な土壌の厚さを確保する嵩上げ用空間βと、当該土壌充填用空間αで生育した根系が、当該嵩上げ用空間βへと伸張可能な根系誘導穴１０１ａ（１）と、土壌充填用空間α内部に過剰に存在する水を排水するための排水口１０４（１）と、を有する。尚、排水口１０４（１）の設置高さは、トレイ内に貯水される水量を少なくして植栽地盤を軽量化するという観点から、地盤軽量化トレイ１０１（１）の土壌充填空間αの最下部から０．５〜１．５ｃｍとすることが好ましい。
【００３１】
ここで、図１及び図２を参照しながら、本最良形態に係る地盤軽量化トレイ１００（１）の特徴部分をより詳細に説明する。尚、図２は、図１中のＡ−Ａ’断面図である。当該地盤軽量化トレイ１００（１）は、充填された土壌が外部にこぼれないようにするためにその外延に形成された枠体部１０２（１）と、当該枠体部１０２（１）よりも内側に複数設けられた、嵩上げ用凸部１０３（１）と、を有する。更に、図１から分かるように、当該地盤軽量化トレイ１００（１）は、隣り合う嵩上げ用凸部１０３（１）との間に、嵩上げ用凸部１０３（１）の高さよりも低い中段部１０１（１）を有している。このように、枠体部１０２（１）、嵩上げ用凸部１０３（１）及び中段部１０１（１）の上部空間が、土壌や芝を収納可能な土壌充填用空間αに相当する。そして、これら枠体部１０２（１）、嵩上げ用凸部１０３（１）及び中段部１０１（１）は、好適には、プラスチック材料等で一体形成されている。以下、嵩上げ用凸部１０３（１）と中段部１０１（１）を更に詳述する。
【００３２】
まず、嵩上げ用凸部１０３（１）は、前述した条件を充足する限り、大きさ、高さ、形状、数及び間隔等は何ら限定されず、当業者により適宜設定される。更に、嵩上げ用凸部１０３（１）の裏面に親水加工を施すとか使用するプラスチック材料として親水性プラスチックを用いる等して、当該嵩上げ用凸部１０３（１）の裏面を親水性にすることが好適である。このような性質を嵩上げ用凸部１０３（１）の裏面に付与することにより、根系誘導穴１０１ａ（１）を介して下部から土壌充填用空間α内に侵入した根が当該嵩上げ用凸部１０３（１）の裏面をつたって四方に伸長する結果、土壌充填用空間α内での当該根の効率的な生長が可能となる。
【００３３】
次に、図１に示すように、中段部１０１（１）は、嵩上げ用凸部１０３（１）の高さより低く底部よりも高い位置で二つの嵩上げ用凸部１０３（１）間を水平方向から架橋する、略平坦で方形状の上部面１０１ｂ（１）と、二つの嵩上げ用凸部１０３（１）間を鉛直方向から架橋する、当該上部面１０１ｂ（１）の両端から垂下した側面１０１ｃ（１）及び側面１０１ｄ（１）と、から構成される。そして、これら上部面１０１ｂ（１）、側面１０１ｃ（１）及び側面１０１ｄ（１）で囲まれた嵩上げ用凸部１０３（１）は、その囲まれた部分で開口している。その結果、上部面１０１ｂ（１）、側面１０１ｃ（１）及び側面１０１ｄ（１）から形成される空間、即ち、中段部１０１（１）の裏側に形成された根系誘導用空間γは、二つの嵩上げ用凸部１０３（１）と空間導通している。
【００３４】
ここで、中段部１０１（１）の上部面１０１ｂ（１）には、複数の根系誘導穴１０１ａ（１）が形成されている。ここで、根系誘導穴１０１ａ（１）の形状及び大きさは、根系が当該穴を侵入可能であれば特に限定されず、植物の種類によって当業者により適宜設定されるが、多くの植物に対応可能とする場合には、直径１〜３ｍｍの円形とすることが好ましい。１ｍｍ以下であれば、根系の生長後、根が細くくびれ、その地点より先の根の生育を阻害する場合があり、３ｍｍ以上とすると、土壌を流下する水が嵩上げ用空間βに漏出し貯水部に溜まる水量が少なくなったり土壌がこぼれ落ちやすくなってしまうからである。また、根系誘導穴の総面積は、地盤軽量化トレイ１０１の全表面積の１％以上であることが好ましい。上限は特に限定されないが、例えば１５％以下である。その他、穴の個数には、特に限定されない。
【００３５】
また、中段部１０１（１）の上部面１０１ｂ（１）の高さは、以下の二点を考慮し、当業者により適宜設定される。まず、一点目が、上部面１０１ｂ（１）の高さが排水口１０４（１）位置（水位面）よりも高い位置である必要があるという点である。これにより、排水口１０４（１）以外からの、中段部１０１（１）に形成された根系誘導穴１０１ａ（１）による過剰な排水を防止することができる。ここで、上部面１０１ｂ（１）の高さが排水口１０４（１）位置よりも０．５ｃｍ以上高くすることが好適である。０．５ｃｍ以上高くすることにより、根の絡まりを通した毛細管サイフォン現象による根系誘導穴１０１ａ（１）からの排水が防止できる。二点目が、上部面１０１ｂ（１）の高さ（或いは根系誘導用空間γの高さ）が、地盤軽量化トレイ１０１（１）の最下部から１ｃｍ以上とすることが好ましく、２ｃｍ以上とすることがより好ましい。１ｃｍ以上の高さがないと、根系誘導穴１０１ａ（１）から根系誘導用空間γに侵入した根が嵩上げ用空間βの方に向けて効果的に伸長しないからである。
【００３６】
次に、地盤軽量化トレイ１００（１）における中段部１０１（１）の位置及び間隔に関して詳述する。まず、中段部１０１（１）の位置について説明すると、中段部１０１（１）は、前述のように、二つの嵩上げ用凸部１０３（１）間に存在する。ここで、図１から理解できるように、一つの嵩上げ用凸部１０３（１）は、２個〜５個の嵩上げ用凸部１０３（１）と隣接している。しかしながら、これら隣接するすべての嵩上げ用凸部１０３（１）との間に中段部１０１（１）が形成されている必要は無く、少なくとも一つの隣接する嵩上げ用凸部１０３（１）との間に一つの中段部１０１（１）が形成されていればよい。少なくとも一つの中段部１０１（１）が存在していれば、当該嵩上げ用凸部１０３（１）の裏面に形成された嵩上げ用空間β内に根が入り込み、当該空間が根の生育空間として利用されるからである。しかも、図１に示すように、中段部１０１（１）は、嵩上げ用凸部１０３間の谷部の一つ置きに形成することが好適である。このように構成することにより、中段部１０１（１）が形成されていない嵩上げ用凸部１０３（１）間の谷部が存在することとなる結果、トレイ上のいずれの位置の土壌に注水しても、当該土壌に染みこんだ水は当該谷部をつたってトレイ全体に行き渡ることが可能となるからである。
【００３７】
以上で地盤軽量化トレイ１００（１）を説明したので、次に当該地盤軽量化トレイ１００（１）とアスファルトＣとの間に配される保水性シート２００と充填される土壌Ｓを詳述する。まず、当該保水性シート２００は、不織布等の布状物から構成される。このような素材の保水性シート２００を配置することにより、根系誘導穴１０１ａ（１）から根系誘導用空間γに侵入した根が、当該保水性シート２００中の養水分を吸収し生育しつつ、これをつたって嵩上げ用空間β内に向かって伸長し易くなると共に、適度な湿度に保つことが可能となる。他方、当該保水性シート２００を配置しないと、根系誘導穴１０１ａ（１）から根系誘導用空間γに侵入した根が、嵩上げ用空間βに向けて伸長することなく、根系誘導用空間γ内でのみ生育する事態を招く場合もある。また、必要に応じて、保水性シート２００とアスファルトＣの間又は地盤軽量化トレイ１００（１）と保水性シート２００の間にパーライト等の保水性高い素材を薄く敷くことが好ましい。更に、溝部に穴が設けられている態様に関しては、保水シートは、当該穴を介して内部に水を供給する源として機能し得る（これについては後で詳述する）。次に、土壌Ｓとしては、人工軽量土壌を使用することが好適である。ここで、「人工軽量土壌」とは、当業界で認識されているものと同義であり、パーライトや軽石等を主原料とする粗粒の多孔質土壌を指す。
【００３８】
次に、図３を参照しながら、本最良形態に係る地盤軽量化トレイ１００（１）を用いて植栽地盤を形成して芝を生育させた場合の様子を説明する。まず、図３に示すように、土壌充填用空間αに充填された土壌で芝が生育すると根が伸長する。そして、伸長に伴い、根の先端は、根系誘導穴１０１（１）を介して根系誘導用空間γに侵入し、更なる伸長により、嵩上げ用空間β内へと侵入する。ここで、地盤軽量化トレイ１００（１）の下に不織布で構成された保水性シート２００を敷くと、当該保水性シートの保水により芝に水分を提供するだけでなく、根が伸長しやすい環境とすることができる。更に、嵩上げ用空間β内まで到達した根はここで更に成長し、嵩上げ用空間内でその体積を増大させる。尚、嵩上げ用空間βの表面が親水性素材で構成されている場合、根は当該素材表面をつたって嵩上げ用空間β上部に伸長する等、嵩上げ用空間β内での効率的な伸長が達成される。
【００３９】
第二の最良形態
本最良形態に係る地盤軽量化トレイ１００（２）は、第一の最良形態に係る地盤軽量化トレイ１００（１）と基本的に同様の構成を採るが、根系誘導穴の形成態様が相違する。具体的には、第一の最良形態では、中段部１０１（１）が存在し、当該中段部に根系誘導穴が形成されているが、第二の最良形態では、中段部は存在せず、嵩上げ用の凸部１０３（２）の側面部分に根系誘導穴１０１（２）が直接形成されている。したがって、第一の最良形態のような根系誘導用空間γを介することなく、伸長した根は土壌充填用空間αから嵩上げ用空間βに直接侵入する。図４は、このような、伸長した根が土壌充填用空間αから嵩上げ用空間βに直接侵入する様子を示した図である。
【００４０】
第三の最良形態
本最良形態に係る地盤軽量化トレイ１００（３）は、第一の最良形態に係る地盤軽量化トレイ１００（１）と基本的に同様の構成を採るが、根系誘導穴の形状が相違する。具体的には、図５に示すように、第三の最良形態に係る根系誘導穴１０１ａ（３）は、中段部１０１（３）の上部面１０１ｂ（３）に形成された、丸状に開口したものの上下左右に、十字状の土壌落下防止手段１０１ａ―１（３）を有する。このような構成を採ることにより、根系誘導穴を大きくすることによる土壌の落下を有効に防止できると共に、根系が太くなると当該土壌落下防止手段１０１ａ−１が破壊されるので根系の生長にも対応できる。
【００４１】
第四の最良形態
本最良形態に係る地盤形成システムは、図６に示されるように、地盤軽量化メッシュ部材１００（４）と、当該部材を収納するための水分保持用トレイ１１０とから構成される。このように、当該最良形態は、第一の最良形態乃至第三の最良形態と異なり、嵩上げ用凸部とトレイとが別体であることが一特徴である。更に、図７に示されるように、地盤軽量化メッシュ部材１００（４）は、メッシュ状の部材により構成されていると共に、嵩上げ用凸部１０３（４）が多数形成されている。ここで、当該メッシュ状の部材の有する穴が、根系誘導穴１０３ａ（４）となる。溝底部を有孔にするとそこを通してトレイの水が土壌の毛細管力により上方移動するので好ましい。
【００４２】
図８は、本最良形態に係る地盤形成システムを用いて、植栽地盤を形成して芝を生育させた場合の様子を示した図である。当該図に示されるように、土壌充填空間αに充填された土壌で芝が生育すると根が伸長する。そして、当該伸長した根は、根系誘導穴１０３ａ（４）を通って嵩上げ空間βへと更に伸長する。その後、当該嵩上げ空間β内で根は更に生長することとなる。
【００４３】
第五の最良形態
本最良形態に係る地盤軽量化トレイ１００（５）は、第二の最良形態に係る地盤軽量化トレイ１００（２）と基本的に同様の構成を採るが、嵩上げ用凸部１０３（５）の形状が半円柱状である点で相違する。具体的には、図９〜図１１に示すように、本最良形態に係る地盤軽量化トレイ１００（５）は、複数（図では８個）の半円柱状の嵩上げ用凸部１０３（５）が内部に形成された、樹脂等で一体成形（射出成形）されたトレイである。ここで、図１０から分かるように、半円柱状（直径約１０ｃｍ、立ち上がり部１．５ｃｍ）の嵩上げ用凸部１０３（５）間には、深さ約６．５ｃｍの土壌充填空間が形成されており、半円柱状の嵩上げ用凸部１０３（５）上には、深さ約１．５ｃｍの土壌充填空間が形成されている。嵩上げ用凸部の上部には、根系誘導穴１０３ａ（５）が設けられており、嵩上げ用空間βに根系を誘導できるように構成されている。また、図９に示されるように、当該トレイの略中央部には、底面部よりやや高い位置（例えば１３ｍｍ）に排水口１０４（５）が備えられている。この位置に排水口を設置することで、トレイ１００（５）内の土壌に給水された際、１３ｍｍ以上の水は排出される一方、１３ｍｍ以下の水は、嵩上げ用凸部１０３（５）間に形成された溝部である貯水部１０８（５）内に留まることになる。更には、図９から分かるように、当該排水口１０４（５）は、周囲に存在する嵩上げ用凸部１０３（５）の裏面の嵩上げ用空間βと連絡している。そのため、当該排水口１０４（５）から排出された水は、周囲（図では４個）の嵩上げ用空間β内に導入されることとなる。更には、図９及び図１０に示されるように、嵩上げ用空間β内に導入された水を、隣接する嵩上げ用空間βや、当該トレイ外に排出するための外部排水口１０９（５）が設けられている（嵩上げ用空間βとそれに隣接する嵩上げ用空間βとを連絡する、又は、嵩上げ用空間βと当該トレイ外とを連絡するように、トンネル状の穴が形成されている。）。これにより、トレイからの排水を利用して、すべての嵩上げ用空間βに水を供給できると共に、植物の生育に不要な余剰水分をトレイ外に排出することが可能となる。具体的には、図９に示すように、トレイ１００（５）に水が供給された場合、余分な水分は、まず、排水口１０４（５）を介して隣接する４個の嵩上げ用凸部１０３（５）（図中、上段の左から２番目と３番目、下段の左から２番目と３番目）に供給される。そして、当該水分は、当該トレイ１００（５）の下に設置された図示しない保水性シートに吸水される（ここに吸水された水が、当該嵩上げ用空間β内における根の生育の源となる）。また、当該保水シートで吸水しきれない余剰水分は、前述の外部排出口１０９（５）を介して、隣接する４個の嵩上げ用凸部１０３（５）（図中、上段の左から１番目と４番目、下段の左から１番目と４番目）に供給される。そして、当該水分も、前記同様、当該トレイ１００（５）の下に設置された図示しない保水性シートに吸水される（ここに吸水された水が、当該嵩上げ用空間β内における根の生育の源となる）。更に、当該保水シートで吸水しきれない余剰水分は、前述の外部排出口１０９（５）を介して、外部に排出されることとなる。
【００４４】
尚、本発明に係る緑化用地盤軽量化部材は、嵩上げ部及び溝部を必須的に有する。そして、当該部材がトレイ状になっているかは任意である。したがって、第一の最良形態のように、嵩上げ部及び溝部が一体化したトレイであってもよいし（この場合、この「トレイ」が緑化用地盤軽量化部材に該当）、第四の最良形態のように、嵩上げ部と溝部が一体化したもの（この場合、この「一体化したもの」が緑化用地盤軽量化部材に該当）とトレイが別体であってもよい。更には、本発明に係る緑化用地盤軽量化部材の使用に際しては、トレイを使用しなくともよい。更には、本発明に係る緑化用地盤軽量化部材の使用に際しては、保水シートを使用してもしなくともよい。そして、保水シートを使用する場合、嵩上げ部及び溝部が一体化したトレイを使用するときには当該トレイの下に配し、また、嵩上げ部と溝部が一体化したものとトレイが別体であるものを使用するときには当該一体化したものと当該トレイとの間に配して使用する。
【００４５】
更に、第一の最良形態等では、嵩上げ用凸部間に形成された溝部は、外部と液体導通不能であるため、貯水部として機能している。しかしながら、当該溝部はこれに限定されず、当該溝部は、外部と液体導通可能な開口部を有していてもよい。このような構成とすることで、部材内部に貯水しておかなくても、部材の外部に存在する水を内部に導入することが可能となる。加えて、当該態様（開口部を有する態様）に関しては、緑化用地盤軽量化部材の下に保水シートを使用することが好適である。保水シート中の水が当該開口部を介して当該部材の内部に侵入し、給水しなくとも長期に亘って水を当該部材内の土壌に供給できるからである。
【００４６】
第六の最良形態
本最良形態に係る地盤形成システムは、地盤軽量化部材１００（６）と、当該部材を収納するための水分保持用トレイ１１０（６）とから構成される。このように、当該最良形態は、第四の最良形態と同様に、嵩上げ用凸部（地盤軽量化部材）とトレイとが別体であってもよい。本最良形態に係る地盤形成システムにより、折板屋根の凹凸面上に地盤形成することが可能となる。更に、十分な強度を確保できるため、人が歩行可能な程度の強固な地盤を形成することが可能となる。以下、本形態について詳細に説明する。
【００４７】
図１２は、本最良形態に係る地盤軽量化部材１００（６）の平面図である。図１３（ａ）は、地盤軽量化部材１００（６）のＡ−Ａ断面図であり、図１３（ｂ）は、地盤軽量化部材１００（６）のＢ−Ｂ断面図であり、図１３（ｃ）は、地盤軽量化部材１００を水分保持用トレイ１１０（６）に搭載した際の正面図である。地盤軽量化部材１００（６）は、根系誘導穴１０２（６）を有し、高さが３ｃｍ以上の嵩上げ部１０３（６）と、溝部１０４（６）とが交互に位置し、それらが直線状に延在している構成を有する。当該構成を有することにより、地盤軽量化部材に強度を持たせることが可能となる。ここで、図１３の上面に土壌充填空間αが形成され、下面に嵩上げ空間βが形成される。本最良形態に係る地盤軽量化部材１００（６）は、前記嵩上げ部の延在方向と垂直に形成され、前記嵩上げ部の裏面に架設されている第一梁部１０５（６）を有することが好適である。尚、当該第一梁部１０５（６）は、全ての嵩上げ部の裏面に形成されていることがより好適である。このような構成を有することにより、地盤軽量化部材の強度が更に高くなる。また、本最良形態に係る地盤軽量化部材１００（６）は、前記部材の表面に形成されている空間に位置し、前記嵩上げ部の延在方向と垂直に形成され、前記嵩上げ部の間に架設されている第二梁部１０６（６）を更に有することが好適である。また、第二梁部１０６（６）も全ての嵩上げ部の間に架設されていることが好適である。このような構成を有することにより、更に、地盤軽量化部材の強度が増す。本最良形態に係る地盤軽量化部材１００（６）は、前記嵩上げ部の裏面に形成された空間に位置し、嵩上げ部の延在方向と平行に形成されている第三梁部１０７（６）を更に有することが好適である。本最良形態に係る地盤軽量化部材１００（６）は、通水口１０８（６）や、潅水口１０９（６）を有していてもよい。ここで、通水口１０８（６）は、溝部で画された区画間の通水が円滑に進むようにしたものである。潅水口１０９（６）は、貯水部の水位が低くなった時でも潅水口にできる水面に充填した土壌が接し、充填土壌に水が毛細管力により円滑に供給されるようにしたものである。
【００４８】
続いて、本最良形態に係る水分保持用トレイ１１０（６）について詳細に説明する。
図１４は、本最良形態に係る水分保持用トレイ１１０（６）の平面図である。また、図１５（ａ）は、水分保持用トレイ１１０（６）のＣ−Ｃ断面図であり、図１５（ｂ）は、水分保持用トレイ１１０（６）の正面図である。水分保持用トレイ１１０（６）は、底面部材１１１（６）と、当該底面部材の外周に形成されている枠体部１１２（６）と、折板屋根のように凹凸面が交互に形成されている面において、隣合う凹部の間に当該トレイを架設するための架設部１１３（６）と、排水口１１４（６）とを有する。当該構成に加えて、二枚のトレイを前記架設方向に対して垂直方向に重ね合わせるための、連結板１１５（６）を有していることが好適である。また、本最良形態に係る水分保持用トレイ１１０（６）は、底面部に平行に延在する、複数の上梁１１６（６）を有することが好適である。当該上梁１１６（６）は、傾斜面で等高線方向に設置されるので上梁に囲まれた区画内の水は上から下の区画へ貯水しながら移行するので傾斜面でもほぼ全面に均一に貯水することができるため有効である。
【００４９】
本最良形態に係る地盤形成システムは、地盤軽量化部材１００（６）の嵩上げ部１０３（６）の延在方向と、水分保持用トレイ１１０（６）の上梁１１６（６）が平行になるように重ね合わせて使用する。本最良形態に係る地盤形成システムを用いて、植栽地盤を形成して芝を生育させた場合、土壌充填空間αに充填された土壌で芝が生育すると根が伸長する。そして、当該伸長した根は、根系誘導穴１０２（６）を通って嵩上げ空間βへと更に伸長する。その後、当該嵩上げ空間β内で根は更に生長することとなる。
【００５０】
第七の最良形態
本最良形態に係る地盤形成システムは、地盤軽量化部材１００（７）と、当該部材を収納するための水分保持用トレイ１１０（７）とから構成され、基本的な構成は第六の最良形態と共通するが、架設部及び連結板が、水分保持用トレイでなく、地盤軽量化部材１００（７）に形成されている点で異なる。ここで、図１６は、地盤軽量化部材１００（７）の平面図であり、図１７（ａ）はＡ−Ａ断面図であり、図１７（ｂ）はＢ−Ｂ断面図であり、図１７（ｃ）は側面図である。地盤軽量化部材１００（７）は、第六の形態に係る地盤軽量化部材の構成に加えて、架設部１２１（７）及び連結板１２２（７）を有する。また、地盤軽量化部材１００（７）は、水分保持用トレイ１１０（７）を地盤軽量化部材１００（７）に固定するための固定部１２３ａ（７）を有する。次に、水分保持用トレイ１１０（７）について説明する。図１８は本最良形態に係る水分保持用トレイ１１０（７）の平面図であり、図１９（ａ）はＡ−Ａ断面図であり、図１９（ｂ）はＢ−Ｂ断面図である。ここで、水分保持用トレイ１１０（７）は、前記地盤軽量化部材１００（７）に固定するための固定部１２３ｂ（７）を有する。
【図面の簡単な説明】
【００５１】
【図１】図１は、第一の最良形態に係る植物用地盤軽量化トレイの概観図である。
【図２】図２は、第一の最良形態に係る植物用地盤軽量化トレイの断面図である。
【図３】図３は、第一の最良形態に係る植物用地盤軽量化トレイの断面図である（使用時）。
【図４】図４は、第二の最良形態に係る植物用地盤軽量化トレイの断面図である（使用時）。
【図５】図５は、第三の最良形態に係る植物用地盤軽量化トレイの断面図である。
【図６】図６は、第四の最良形態に係る植物用地盤軽量化トレイの概観図である。
【図７】図７は、第四の最良形態に係る植物用地盤軽量化トレイの断面図である。
【図８】図８は、第四の最良形態に係る植物用地盤軽量化トレイの断面図である（使用時）。
【図９】図９は、第五の最良形態に係る植物用地盤軽量化トレイの上面図である。
【図１０】図１０は、第五の最良形態に係る植物用地盤軽量化トレイの断面である（短軸方向）。
【図１１】図１１は、第五の最良形態に係る植物用地盤軽量化トレイの断面である（長軸方向）。
【図１２】図１２は、第六の最良形態に係る地盤軽量化部材の平面図である。
【図１３】図１３は、第六の最良形態に係る地盤軽量化部材の断面図及び正面図である。
【図１４】図１４は、第六の最良形態に係る水分保持用トレイの平面図である。
【図１５】図１５は、第六の最良形態に係る水分保持用トレイの断面図及び正面図である。
【図１６】図１６は、第七の最良形態に係る地盤軽量化部材の平面図である。
【図１７】図１７は、第七の最良形態に係る地盤軽量化部材の断面図及び側面図である。
【図１８】図１８は、第七の最良形態に係る水分保持用トレイの平面図である。
【図１９】図１９は、第七の最良形態に係る水分保持用トレイの断面図である。
【図１】
2009136278.tif 000003
【図２】
2009136278.tif 000004
【図３】
2009136278.tif 000005
【図４】
2009136278.tif 000006
【図５】
2009136278.tif 000007
【図６】
2009136278.tif 000008
【図７】
2009136278.tif 000009
【図８】
2009136278.tif 000010
【図９】
2009136278.tif 000011
【図１０】
2009136278.tif 000012
【図１１】
2009136278.tif 000013
【図１２】
2009136278.tif 000014
【図１３】
2009136278.tif 000015
【図１４】
2009136278.tif 000016
【図１５】
2009136278.tif 000017
【図１６】
2009136278.tif 000018
【図１７】
2009136278.tif 000019
【図１８】
2009136278.tif 000020
【図１９】
2009136278.tif 000021